(57)【特許請求の範囲】
【請求項１】
コンクリート成型ブロックを積置してなる組立式護岸(1)において、捨石(2)を平面的に布設して基礎壇(3)を形成し、この基礎壇(3)の上面に下端壁(4)が設けられ、その一側端には下端壁(4)より高くて、傾斜度を有する止め顎(4e)が突出されるように形成し、この下端壁(4)のおよそ中央部には隔壁(4a)を垂直に立てられ、上記の隔壁(4a)の反海水方向には外側面が傾斜度を有する後面部壁(4b)を連設し、この隔壁(4a)の前方にはこの隔壁(4a)から相互一定な距離をおいて一側面に同一角度の傾斜度を有し、旦つ隔壁(4a)より少し小さい高さの前面部壁(4c)(4d)が各々連設されて留水池(15)を形成されるようにし、この前面部壁(4c)(4d)の上端は前面壁体(W)を支持するブロック(11)がコンクリート現場打設で作られるようにし、その一側方に前面壁体(W)が波浪からの衝撃などの外力を吸収し最小化する為に、その一側方に同じ高さの伸縮ゴム板(12)が連設できるようにし、前面部壁(4c)(4d)と一定な距離だけに離隔して前面部壁(4c)(4d)と同じ傾斜度を有する前面壁体(W)を構成し、この前面壁体(W)の外海側壁体〈8〉には水平方向に多数段の水平凹面部(6)と凸面部(5)が形成されるようにし、各凹面部(6)には多数個の一定な直径の海水通水孔(7)を穿設して一定な距離をおき、左右側に凸面部(5)と同じ高さの左右側壁(9)(10)を形成し、このように構成された前面壁体(W)は上記支持ブロック(13)の上端におかれるようになり、前両壁体(W)と止め顎(4e)の間に固定ブロック(14)を据置して、前面壁体(W)の上端一側面が伸縮ゴム板(12)に付着されるようにし、最上端部にカバーコンクリート(16)を据置固定してなる組立式護岸構造体。
【発明の詳細な説明】
【０００１】
【産業上の利用分野】
本発明は、護岸の構築構造体に関し、特に海岸の保護、又は後面敷地を造成する為、又は海岸の土砂崩壊及び流失を防止する為の施設物である組立式護岸構造体に関するものである。
【０００２】
【従来の技術】
従来、上記した海岸の土砂崩壊及び流失を防止等の為の施設物として、捨石を利用した石築式護岸や、大型コンクリート成型ブロックで均一に積置した護岸等が、数多く構築されてきた。
【０００３】
【発明が解決しようとする課題】
しかしながら、上記したように従来の石築式護岸では、波浪がひどい地域の場合、構造自体が不安定で護岸としての安定性に劣り、護岸の崩壊及び流失といった脆弱点があるとともに、護岸周辺の景観と調和するための水に親しむ空間（親水空間）としての考慮が全くなかった。
【０００４】
また、大型コンクリート成型ブロック(block)で構築した護岸では、構築する時に多量の大型コンクリート成型ブロックを設置するが、その時、後面の土圧によって大型コンクリート成型ブロックが崩壊される恐れがあるのが実情であった。
【０００５】
本発明は、上記のような点に鑑みて開発されたものであり、その目的とするところは、石築式護岸や大型コンクリート成型ブロックによる護岸の欠点を解決し、より単純明瞭な構造でありながら力学的に安定した充分な設計強度を有し、護岸後面の土圧に充分に耐え、波浪の回折及び波圧を減少できるようにすると共に親水空間としての役割まで兼備できる組立式護岸構造体を提供することにある。
【０００６】
【課題を解決するための手段】
本発明は上記の目的を有効に達成するために、次のような構成にしてある。すなわち、請求項１に記載の本発明の組立式護岸構造体は、コンクリート成型ブロックを積置してなる組立式護岸(1)において、捨石(2)を平面的に布設して基礎壇(3)を形成し、この基礎壇(3)の上面に下端壁(4)が設けられ、その一側端には下端壁(4)より高くて、傾斜度を有する止め顎(4e)が突出されるように形成し、この下端壁(4)のおよそ中央部には隔壁(4a)を垂直に立てられ、上記の隔壁(4a)の反海水方向には外側面が傾斜度を有する後面部壁(4b)を連設し、この隔壁(4a)の前方にはこの隔壁(4a)から相互一定な距離をおいて一側面に同一角度の傾斜度を有し、旦つ隔壁(4a)より少し小さい高さの前面部壁(4c)(4d)が各々連設されて留水池(15)を形成されるようにし、この前面部壁(4c)(4d)の上端は前面壁体(W)を支持するブロック(11)がコンクリート現場打設で作られるようにし、その一側方に前面壁体(W)が波浪からの衝撃などの外力を吸収し最小化する為に、その一側方に同じ高さの伸縮ゴム板(12)が連設できるようにし、前面部壁(4c)(4d)と一定な距離だけに離隔して前面部壁(4c)(4d)と同じ傾斜度を有する前面壁体(W)を構成し、この前面壁体(W)の外海側壁体〈8〉には水平方向に多数段の水平凹面部(6)と凸面部(5)が形成されるようにし、各凹面部(6)には多数個の一定な直径の海水通水孔(7)を穿設して一定な距離をおき、左右側に凸面部(5)と同じ高さの左右側壁(9)(10)を形成し、このように構成された前面壁体(W)は上記支持ブロック(13)の上端におかれるようになり、前両壁体(W)と止め顎(4e)の間に固定ブロック(14)を据置して、前面壁体(W)の上端一側面が伸縮ゴム板(12)に付着されるようにし、最上端部にカバーコンクリート(16)を据置固定してなる構成である。
【０００７】 
【０００８】
【発明の実施の形態】
以下、本発明の実施の形態を添付の図に基づいて説明する。図１は本発明で実施される組立式護岸構造体を示す一部断面の説明図であり、図２は本発明で実施される組立式護岸構造体の横断面図である。
【０００９】
上記の図に示すように、(1)は本発明の実施の形態の一例である組立式護岸構造体であって、この組立式護岸構造体(1)は、沿岸等の所望の箇所に構築する基礎壇(3)と、この基礎壇(3)に立設する支持体(17)と、この支持体(17)に所定間隔を以って弾性材(12)を介し傾斜させて支持させる前面壁体(W)と、支持体(17)と前面壁体(W)との間に形成される空間である留水池（水を留める空間部）(15)と、支持体(17)と留水池(15)及び前面壁体(W)の上部を覆うカバー(16)とを少なくとも備えている。
【００１０】
図示の組立式護岸構造体１は、多数の捨石(2)によって形成した基礎壇(3)と、この基礎壇(3)の上に設けた下端壁(4)と、下端壁(4)の一側端部に設けた止め顎(4e)と、下端壁(4)の前後方向の略中央部又は中央部に設けた隔壁(4a)と、隔壁(4a)の後側に隔壁(4a)を支持するように設けた後面部壁(4b)と、上記止め顎(4e)側である前面を傾斜させて裾広がりに形成するとともに隔壁(4a)より低く形成し、上記隔壁(4a)の前側に隔壁(4a)の長手方向に所定間隔を以って設けた前面部壁(4c)(4d)と、外面側に水平凹面部(6)と水平凸面部(5)とを交互に連続して有するとともに各水平凹面部(6)に複数の通水孔(7)を有し、上記前面部壁(4c)(4d)と一定距離を隔てて前面部壁(4c)(4d)の傾斜面に沿って設けた前面壁体(W)と、前面部壁(4c)(4d)の上端に設けて前面壁体(W)を支持するブロック(11)と、前面壁体(W)とブロック(11)との間に設けた波浪による衝撃等の外力を吸収する伸縮ゴム板基礎壇(3)と、前面壁体(W)と隔壁(4a)との間の空間に設けた留水池(15)と、前面壁体(W)の両側に設けた側壁(9)(10)と、上記前面壁体(W) とブロック(11)と隔壁(4a)及び後面部壁(4b)の各上端を覆うカバーコンクリート（11）とを少なくとも備えた構成からなる。
【００１１】
より具体的に図示の組立式護岸構造体を詳述すると、先ず構築する箇所に多数の捨石(2)を一定範囲内の厚みで上面を平面的になるように設けて基礎壇(3)を形成する。この基礎壇(3)の上面には下端壁(4)を設ける。下端壁(4)の一側端部には、下端壁(4)より少し高くて海側の面を傾斜させた止め顎（ストッパー）(4e)が上方に突出するようにして設けてある。止め顎(4e)の海側と反対の面は下端壁(4)から垂直に形成されている。また、止め顎(4e)の上面は平らに形成してある。
【００１２】
下端壁(4)の前後方向（海側と反海側の方向）のおよそ中央部には、止め顎(4e)と平行に隔壁(4a)が垂直に設けてある。隔壁(4a)の反海側である後側には、外側面（反海側）を海側に適宜の傾斜角度（例えば６５°等）で傾斜形成した後面部壁(4b)が設けてある。後面部壁(4b)は隔壁(4a)を支持する。
【００１３】
上記の下端壁(4)と止め顎(4e)と隔壁(4a) 及び後面部壁(4b)は、コンクリート等によって一体的に形成されている。なお、これらをそれぞれ別体として形成し、支持体(17)としてそれぞれを強固に連結してもよい。
【００１４】
上記隔壁(4a)の前側(海側)には、止め顎(4e)側である前面を傾斜させて裾広がりに形成するとともに隔壁(4a)より少し低く形成した前面部壁(4c)(4d)が、隔壁(4a)の前側(海側)に隔壁(4a)の長手方向に所定間隔を以って設けてある。
【００１５】
この前面部壁(4c)(4d)の上端には、後述する前面壁体(W)を支持するブロック(11)がコンクリート現場打設で作られる。ブロック(11)の一側方である海側には、伸縮ゴム板(12)が連設され、波浪からの衝撃などの外力を吸収して最小化する。
【００１６】
前面壁体(W)は、伸縮ゴム板(12)を介して上記ブロック(11)で支持される。この前面壁体(W)は、前面部壁(4c)(4d)と同じ傾斜度を有し、外海側壁(8)の面には水平方向に多数段の水平凹面部(6)と凸面部(5)が形成され、各凹面部(6)には多数個の一定な直径の海水通水孔(7)が穿設されていて、さらに一定距離をおき左右側に凸面部(5)と同じ高さの左右側壁(9)(10)が形成される。
【００１７】
このように構成された前面壁体(W)は、止め顎(4e)側の下端壁(4)の上に設けた上面平坦な支持ブロック(13)の上に置かれる。前面壁体(W)と止め顎(4e)の間には、固定ブロック(14)を据置して前面壁体(W)が滑るのを防止するようにする。
【００１８】
前面壁体(W)の上端の一側面が伸縮ゴム板(12)に附着されるようにし、最上端部にカバーコンクリート(16)を据置固定して前面壁体(W) とブロック(11)と隔壁(4a)及び後面部壁(4b)の各上端を覆う。そして隔壁(4a)と後面部壁(4b)の間は、捨石(2)を充填して陸地と連結する。
【００１９】
上述のような構成からなる本発明の組立式護岸構造体１は、図示のように海岸線に沿って構築することにより、外海側Sから寄せる波浪は、前面壁体(W)の水平で多数段に連続形成されてある凹面部(6)と凸面部(5)にぶつかって反射、回折されて波力を弱化させると同時に、各凹面部(6)に穿設された多数個の海水通水孔(7)を通じて、一部の波浪が留水池(15)に進入しながら波力を消尽させ、更にこの時発生する衝撃を伸縮ゴム板(12)によって吸収することにより、前面壁体(W)の破損を最大限に防ぐことができる。
【００２０】
また、前面壁体(W)は、後方の隔壁(4a)及び前面部壁(4b)(4c)(4d)から分離されているので、周辺環境と外海からくる波浪の規模によって自由に海側の凹凸模様を図示以外の凹凸模様に変更して選択することができ、消波機能ばかりでなく見る人に美感を感じさせることができる。さらに前面壁体(W)は、水に親しむ空間としての効果も得ることができ、また、後側に消波の役割をする前面壁体(W)とは別途に隔壁(4a)と各前面部壁(4c)(4d)、 前面部壁(4b)で壁体を構成しているので、土圧から組立式護岸構造体１を保護することが可能であり、堅固で安定性のある護岸を提供できるようになる。
【００２１】
なお、支持体(17)は、前面壁体(W)との間に留水池(15)を形成できるようにして上記前面壁体(W)を支持できれば、図示の例に限らず如何なる形状、構造のものであってもよい。また、弾性材(12)は波浪等によって前面壁体(W)に受ける外力による圧力を減少できればゴム材に限らず他の材質の部材であってもよい。
【００２２】
【発明の効果】
上記した説明でも明らかなように本発明の組立式護岸構造体では、外海の沿岸等の所望の箇所に構築することにより、外海から打ち寄せる波浪は前面壁体の凹面部及び凸面部にぶつかれて反射、回折されて波力を弱化させるとともに、凹面部の通水孔から波浪の一部が留水池に進入して波力を消尽させ、更に弾性材によって波浪による衝撃も吸収されるため前面壁体の破損を防止できる。
【００２３】
また、単純明瞭な構造でありながら力学的に安定した充分な設計強度を有し、護岸後面の土圧に充分に耐えうる。
【００２４】
また、前面壁体は隔壁と前面部壁及び後面部壁から分離されているので、前面壁体周辺環境と外海から来る波浪の規模によって、凹面部と凸面部及び通水孔を形成した他の外面形状の前面壁体を自由に選択して構築することにより、消波機能ばかりでなく見る人に美感を感じさせることができると共に親水空間としての効果も得ることができ、この親水空間としての役割まで兼備できる。
【００２５】
【図面の簡単な説明】
【図１】本発明で実施される組立式護岸構造体を示す一部断面の説明図である。
【図２】本発明で実施される組立式護岸構造体の横断面図である。
【符号の説明】
Ｗ   前面壁体
１   組立式護岸構造体
２   捨石
３   基礎壇
４   下端壁
４ａ   隔壁
４ｂ   後面部壁
４ｃ，４ｄ   前面部壁
４ｅ   止め顎
５   凸面部
６   凹面部
７   通水孔
８   外海側壁
９，１０   左右側壁
１１   ブロック(b1ock)
１２   伸縮ゴム板
１３   支持ブロック
１４   固定ブロック
１５   留水池
１６   カバーコンクリート
１７   支持体
【図１】
0003544957.tif 000002
【図２】
0003544957.tif 000003